(57)【要約】【課題】従来のゴルフ練習装置は、垂直に吊り下げられた正面に位置するキャンバス幕部材に打球するもので、その打球の騒音は大きく、かつ、キャンバス幕部材を固定するためのアンカー工事を必要とし、占有面積も大きくなる欠点があった。【解決手段】本発明は、容易に組み立てられる鉄パイプで構成された本体骨格に吊り下げられ、打席側に対し、８６〜８８度の前傾傾斜度、湾曲深さが１５〜２５ｃｍの湾曲形状を有する、厚さ２〜３ｃｍの柔軟性を有するポリウレタンなどの発泡材質である発泡正面マットに、打席から打撃した打球の衝撃音を、従来のキャンバス幕部材を利用しているゴルフ練習装置より、大幅に軽減化することができるゴルフ練習装置である。【選択図】図１
2014023887.tif 000002
【特許請求の範囲】
【請求項１】
構造骨格が、簡易に組み立てられる鉄パイプの組み合わせ構造で、この鉄パイプ構造体に吊り下げられ、打球を受ける発泡正面マットの構造が、打席から見て、８６〜８８度の前傾傾斜度を有し、三日月状湾曲体の円半径が４５〜６０ｃｍ、湾曲深さが１５〜２５ｃｍの湾曲形状を有し、かつ、マット厚さが２〜３ｃｍの柔軟性を有するポリウレタン、ポリオレフィン、ポリエステル、ポリアミドなどの発泡フォームを正面マットに用いることを特徴とする、打球の衝撃音を軽減するゴルフ練習装置。
【発明の詳細な説明】
【技術分野】
【０００１】  本発明は、実際のゴルフボールを用いたアプローチショットの騒音低減に資する、ゴルフ練習装置に関する。
【背景技術】
【０００２】  従来技術では、例えば特許文献１の幕部材に示す、打球受け幕、側面幕、正面幕、上面幕、底面幕等多くの幕で構成し、衝撃を和らげる構造のものがある。このような構成では、構造が複雑になると共に、幕を固定するアンカー工事が必要で、例えば賃貸マンションでは、改造制限に抵触すること、木造家屋では構造、強度上の難点が考えられること、さらに、室内の１室を占有する等の欠点があった。
また、特許文献２の幕部材は、打球の衝撃を吸収する柔軟性を有し、かつ、打球を粘着させる幕部材を用いて、プラスチック製の模擬ボールを使用する方式の練習装置がある。このような構造のものでは、粘着性物質から成る幕部材の維持に手間、費用を要すると共に、模擬ボールによる練習に留まり、実際のゴルフボールを打つ練習はできず、コースに出た場合の成果は期待できず、かつ、短期間で飽きてしまうことが容易に予測できる。
また、特許文献３の打球衝突部材は、野球場のバックネット型、または、ゴルフショップ試打室と同種の繊維製網目状ネットで構成したものがある。このような構造では、ネット材が硬いため、打球衝突時にネットからドスンという鈍い音を発し、騒音が大きい欠点があり、室内のゴルフ練習装置としては、全く不向きである。
【先行技術文献】
【特許文献】
【０００３】
【特許文献１】特開２００７−４４４８３
【特許文献２】特開２０１１−２４５１１３
【特許文献３】特開２０００−１６７０９６
【発明の開示】
【発明が解決しようとする課題】
【０００４】  以上に述べた、従来の幕部材を用いた練習装置では、新設時に幕固定アンカー設置工事、解体時には撤去工事を専門工事業者に依頼するため、この費用が必要であると共に、占有面積も大きくなる欠点がある。さらに、模擬ボールによる練習成果では、実際にコースに出た場合の反映が難しく、多くは期待できない欠点がある。
本発明は、このような従来のゴルフ練習装置が有していた問題点を解決するために、打席よりみて、前傾させた鉄パイプを組み合わせた本体骨格に、一定の傾斜度、湾曲形状を成し、一定の厚さと柔軟性を有する発泡正面マットを作製、吊り下げることにより、打席から打撃した打球は、このマットに衝突して運動エネルギーを減少させることができる。
【課題を解決するための手段】
【０００５】  本発明のゴルフ練習装置は、図１のように、本体（１）の構造体の大きさは図２の幅（２）が８０ｃｍ、奥行（３）が１８０ｃｍ、図１の高さ（４）が１８０ｃｍで、これに取り付ける図１の発泡正面マット（５）の大きさは、図２の打球衝突部の幅（６）が８０ｃｍ、図１の高さ（７）が１４０ｃｍ程度の、アプローチショットの練習に適した、打球が発泡正面マット衝突時に発生する騒音の軽減化を図ったゴルフ練習装置である。
また、基本構造は鉄パイプを構造体に用い、打球を受け止める装置正面に配置した、一定の傾斜度（８）、一定の湾曲深さ（９）を有する湾曲形状（１０）を成し、かつ、一定の厚さ（１１）と柔軟性を有する発泡正面マット、それに準じた発泡床面マット（１２）、発泡天井マット（１３）、左右の側面ネット（１４ａ）、（１４ｂ）を、構造体の鉄パイプ（２１ａ、２１ｂ、２２）または固定板（１５）に吊り下げて設置する。
また、前記の発泡正面マットの材料には、打球の衝撃力を吸収し柔軟性を有する、ポリウレタン、ポリオレフィン、ポリエステル、ポリアミドなどのフォーム（発泡体）が必要であるが、以下の試験では、密度１５〜３５ｋｇ／ｍ３  、硬度５〜１５ｋｇｆのウレタンフォームを選定した。その上で、それぞれの必要条件を探索するため、実際のゴルフボールを用いて次に示す、試験（１）ないし試験（３）を行った。【０００６】  試験（１）は、図３に示す発泡正面マットを平面に置き、この上空からのボール落下試験で、図３は側面図である。
試験目的は、本装置の基本構造である、垂直に立て一定の傾斜度を成す発泡正面マットの代替品として、平面に置いた発泡平面マット（３６）を用いて、このマット上空から落下するボール（３６ａ）の反発高さ（３６ｂ）を求め、最適なマット厚さ（３６ｃ）を探索することである。
試験条件は、発泡正面マット幅（３６ｄ）が８０ｃｍで、奥行（３６ｅ）が６０ｃｍ、落下高さ（３６ｆ）が２００ｃｍ、マット厚さ（３６ｃ）が１．５、２．５、４．５ｃｍの３点について試験する。
試験結果、反発高さは、発泡正面マット厚さが１．５ｃｍおよび２．５ｃｍにおいては、１ｃｍと少なく、また、発泡正面マット厚さが４．５ｃｍにおいては、前記１ｃｍに比べ２倍以上大きくなることが判明した。
上記の結果、反発高さが小さく、かつ、発泡正面マットに落下したときの落下音が小さい、最適マット厚さは２〜３ｃｍであるとの結論に達した。なお、マット厚さ、１．５ｃｍのマットは形状を安定的に保持できないため、かつ４．５ｃｍのマットは反発高さおよび落下音が大きいため、不可とした。【０００７】  試験（２）は、図４に示す三日月状の弓形の円半径（３７ａ）が４９ｃｍでの湾曲深さ（３７ｂ）が２０ｃｍを成す湾曲形状（３７ｃ）の発泡湾曲マット（３７）を平面に置き、この上空からのボール落下試験で、図４は側面図である。
試験目的は、試験（１）の結論を取り入れて、マット厚さ（３７ｄ）が２．５ｃｍの湾曲形状の発泡湾曲マットを用いて、マット上空から落下するボール（３７ｅ）の停止までの軌道を調べ、最適な湾曲深さを探索することである。
試験条件は、発泡湾曲マット幅（３７ｆ）と奥行（３７ｇ）の寸法、および試験落下高さ（３７ｈ）は、試験（１）と同じ。また、湾曲深さは、弓形の円半径が８０ｃｍでの湾曲深さが１０ｃｍを成す湾曲形状、弓形の円半径が４９ｃｍでの湾曲深さが２０ｃｍを成す湾曲形状、および、弓形の円半径が４２ｃｍでの湾曲深さが３０ｃｍを成す湾曲形状の、前記３点について試験する。
試験結果、発泡正面マットのＣ１部に落下したボールの軌道は、Ｃ２、Ｃ３を辿り湾曲頂部から飛び出すことなく、Ｃ４で反転し、下り上りの動作を繰り返したあと、ボールは停止した。また、前記の湾曲深さが１０ｃｍを成すマットは、ボール反発高さ（３７ｉ）が大き過ぎて不可とし、また、湾曲深さが３０ｃｍのマットは、湾曲形状保持の面で難点が見受けられたため不可とした。
上記の結果、最適な湾曲深さは、弓形の円半径が４５〜６０ｃｍでの湾曲深さが１５〜２５ｃｍを成す湾曲形状であるとの結論に達した。【０００８】  試験（３）は、試験（１）ないし試験（２）の結論を取り入れて対策した、図５の発泡正面マット（３８）の厚さ（３８ａ）が２．５ｃｍ、弓形の円半径（３８ｂ）が４９ｃｍでの湾曲深さ（３８ｃ）が２０ｃｍになる湾曲形状（３８ｄ）を有し、一定の傾斜度（３８ｅ）を成す発泡正面マットに向けて、ゴルフクラブを用いて打球（３８ｆ）を、打席（３８ｇ）からの打撃距離（３８ｈ）が１６０ｃｍから打撃する試験で、図５は打撃試験図、［５−１］は平面図、［５−２］は側面図である。
試験目的は、傾斜度を成す発泡正面マットの最適傾斜度を求め、かつ、打球の軌道、移動距離（３８ｉ）から練習装置の構造を決定することである。
試験条件は、発泡正面マットの打球衝突部幅（３８ｊ）が８０ｃｍ、高さ（３８ｋ）が１４０ｃｍ、傾斜度は８４、８７、９０度（垂直に立てた状態）の、３点について試験する。
試験結果、発泡正面マットの中央に衝突した黒丸打球は、円弧を描いて上昇し床面（３８ｌ）と離間距離（３８ｍ）のある、発泡床面マット（３８ｎ）に落下し停止した。また、前記黒丸打球の、マット衝突地点からの移動距離は、傾斜度８４度で平均５５ｃｍ、８７度で平均６５ｃｍ、９０度で平均８５ｃｍであった。また、傾斜度が８４度で、かつ、打撃距離が１６０ｃｍからの打撃は、前傾の傾斜度が過ぎて練習者に圧迫感を与えることが判明した。
上記の結果、装置本体に吊り下げられた発泡正面マットの最適傾斜度は、圧迫感を与えない、落下ボールの移動距離の少ない、８６〜８８度であるとの結論に達した。【０００９】  試験（１）ないし試験（３）で得た知識を、本発明のゴルフ練習装置に反映する手段について、以下にまとめる。
図２に示す打球衝突部の幅（６）が８０ｃｍで、図１に示す高さ（７）が１４０ｃｍの発泡正面マット（５）への、打席（１６）から打撃距離（１７）が１６０ｃｍからの打球（１８）に対して、装置本体に吊り下げられ、練習者に圧迫感を与えない、打席側に８６〜８８度の前傾傾斜度（８）を有し、打球が湾曲部から飛び出さない、弓形の円半径（１９）が４５〜６０ｃｍでの湾曲深さ（９）が１５〜２５ｃｍの湾曲形状（１０）を有する、厚さ（１１）が２〜３ｃｍの柔軟性を有する発泡正面マットを用いて、この打球の衝撃音を大幅に軽減化することができることを特徴とする。
【発明を実施するための最良の形態】
【００１０】  本発明は、容易に組み立てられる鉄パイプで構成され、装置本体骨格の大きさは、構造体の図２に示す幅（２）が８０ｃｍ、奥行（３）が１８０ｃｍ、図１に示す高さ（４）が１８０ｃｍで、鉄パイプサイズは２５Ａの一般構造用炭素鋼鋼管（略称ＳＴＫ）などの鋼管を用いて枠組みされた構造体で、ベースパイプ（２０ａ）、（２０ｂ）、（２０ｃ）、（２０ｄ）、傾斜パイプ（２１ａ）、（２１ｂ）、縦パイプ（２２）に対して、ネジ込み管継手を用いて結合した配管および、このパイプ上部を組み合わせるための、鋼製の固定板（１５）で構成している。
つぎに、図１に示す発泡正面マット（５）は、その外面を図６に示す薄手の繊維製の発泡正面マットカバー（２４）で密着して包まれ、そのカバーに付属する筒（２４ａ）には、傾斜パイプ（２１ａ）、（２１ｂ）が組み込まれ、また、複数の上部紐（２４ｂ）と側面紐（２４ｃ）が付属している。
前記の筒に組み込んだ傾斜パイプを利用して、発泡正面マットの縦方向の両側を拘束することにより、また、前記の複数の上部紐を用いて図１の取り付け高さ（３０）が所定の２０ｃｍになるよう、構造体に吊り下げ、さらに、前記の複数の側面紐を用いて図１の湾曲深さ（９）を所定の２０ｃｍに調整することにより、打球が衝突した際に生ずる、このマットの動揺を抑制することができる。
また、図１の発泡床面マット（１２）も、前記の発泡正面マット同様、このマットは図７の薄手の繊維製の発泡床面マットカバー（２７）で密着して包まれ、付属する筒（２７ａ）には、サポート丸棒（２８）が組み込まれ、複数の紐（２７ｂ）を用いて構造体に吊り下げられている。
さらに、図１の発泡正面マットの取り付け高さ（３１）は、図７の複数の紐（２７ｂ）を用いて、このマット上面が前記発泡正面マット下面に接する程度に密着して取り付けることにより、装置外への打球の抜け出し防止が図れる。
本装置は、メーカーで製作し組み立てた完成品を出荷時に、その一部のネジ配管、接続部分を外した状態で使用者に納入される。使用に際しては、この部分を復旧するだけで、容易に完成品に組み立てができる構造になっている。
以上のように、本鉄パイプを骨格構造とすることにより、至極簡単に、骨格構造を形成することができる。次に、本骨格構造体に吊り下げられ、打球を受ける発泡正面マットなどについて述べる。【００１１】  図１において、打席（１６）から打撃した打球（１８）を受ける発泡正面マット（５）、このマットから落下する打球を受ける床面上部に位置する発泡床面マット（１２）、打ち損じた打球を捕捉する、発泡正面マットの両側面に位置する側面ネット（１４ａ）、（１４ｂ）および、上空に打ち損じた打球を捕捉する、発泡正面マットの上部に位置する天井マット（１３）を配置する。
また、前記の側面ネットは大きさの違う（１４ａ）、（１４ｂ）で構成している。側面ネット（１４ａ）は、傾斜パイプ（２１ａ）の上下端２点と、ベースパイプ（２０ａ）の打席先端手前の３点を基点とする三角形を成す範囲の、本体骨格外面に紐を用いて張設する。側面ネット（１４ｂ）も同様に張設する。これにより、装置外への打球の飛び出し防止が図れる。
また、これらのマット類につき、主として打球を受ける正面マットを例とし、その性状について、先に行った試験の結果を含めて説明する。なお、打球を受ける正面マットの大きさは、本体骨格の鉄パイプ基本骨格により決定されるが、ここでは、正面マットの大きさを、幅８０ｃｍ、高さ１４０ｃｍの発泡正面マットとし、打球位置より１６０ｃｍのところに吊り下げられる。
また、この際、正面マットは打球に対し、８６〜８８度の前傾傾斜度を保つように鉄パイプ基本構造を組み立てる。また、正面マットは打席に対し、弓形円半径が４５〜６０ｃｍ、湾曲深さが１５〜２５ｃｍの湾曲形状を有し、かつ、正面マットの材質は、ポリウレタン、ポリオレフィン、ポリエステル、ポリアミドなどの発泡フォームの中から選ばれた材質の、２〜３ｃｍの厚さを有するものが用いられる。
また、衝撃音の測定は、リオン（株）製、ＮＬ−４２型の普通騒音形を用い、その瞬間最高音を５回以上騒音レベルで測定し、その平均値（ｄＢ）をもって、騒音値とした。
以下、本発明の特徴である１．鉄パイプ基本構造体の作製方法、２．打球衝撃音を減衰させる発泡正面マットの性質、３．その効果について、実施例により説明する。
【実施例１】
【００１２】  鉄パイプ基本構造体の作製方法：ベースパイプ、傾斜パイプ、縦パイプの鉄パイプを組み合わせ、幅８０ｃｍ、高さ１８０ｃｍ、奥行１８０ｃｍ、前傾傾斜度８７度を有する安定した鉄パイプ基本構造体を作製する。この基本構造体に、発泡正面マット、左右側面ネットを吊り下げ、かつ、発泡天井マット、発泡床面マットを、それぞれ固定する。
発泡正面マットの特徴：打球を直接受ける発泡正面マットは、幅８０ｃｍ、高さ１４０ｃｍの大きさで、打席に対し、８７度の前傾傾斜度を有し、弓形円半径４９ｃｍ、湾曲深さ２０ｃｍ、厚さ２．５ｃｍのポリウレタン発泡フォームを用いた。
騒音の減衰効果：打球が発泡正面マットに当たったときの瞬間最高音を、リオン（株）製、ＮＬ−４２型の普通騒音形を用いて５回以上騒音レベルで測定したところ、つぎのような結果を得た。なお測定方法はＪＩＳＺ８７３１（環境騒音の測定方法）に準拠した。
2014023887.tif 000003
以上のように、本発明によるゴルフ練習装置の騒音減衰効果は、顕著であることが明らかである。
【発明の効果】
【００１３】  鉄パイプを組み合わせて本体骨格を構成した装置本体に、吊り下げられ、一定の前傾傾斜度、湾曲形状を有し、一定の厚さの発泡正面マットに打席から打撃した打球の衝撃音を、従来のキャンバス幕部材に比べ、約３５％の減少が図れ、室内での練習可能な、騒音の小さいゴルフ練習装置を提供できる。
【図面の簡単な説明】
【００１４】
【図１】本発明のゴルフ練習装置の側面図で、全体図。
【図２】図１の平面図。
【図３】試験（１）のボール落下試験図で、側面図。
【図４】試験（２）のボール落下試験図で、側面図。
【図５】試験（３）のボール打撃試験図で、〔５−１〕は平面図。〔５−２〕は側面図。
【図６】発泡正面マットのカバー図で、〔６−１〕は平面図。〔６−２〕は側面図。
【図７】発泡床面マットのカバー図で、〔７−１〕は平面図。〔７−２〕は右側面図。〔７−３〕は側面図。
【符号の説明】
【００１５】  １、装置本体
２、本体構造体の幅
３、本体構造体の奥行
４、本体構造体の高さ
５、発泡正面マット
６、打球衝突部の幅
７、打球衝突部の高さ
８、傾斜度
９、湾曲深さ
１０、湾曲形状
１１、マット厚さ
１２、発泡床面マット
１３、天井マット
１４ａ、１４ｂ、側面ネット
１５、固定板
１６、打席
１７、打撃距離
１８、打球
１９、弓形の円半径、
２０ａ、２０ｂ、２０ｃ、２０ｄ、ベースパイプ
２１ａ、２１ｂ、傾斜パイプ
２２、縦パイプ
２３、ユニオン
２４  発泡正面マットカバー、２４ａ筒、２４ｂ上部紐、２４ｃ側面紐
２５、チーズ
２６、斜材
２７  発泡床面マットカバー、２７ａ筒、２７ｂ紐
２８  サポート丸棒、２８ａ先端フック、２８ｂターンバックル
２９、傾斜パイプアイボルト
３０、発泡正面マット取り付け高さ
３１、発泡床面マット取り付け高さ
３６、試験（１）の発泡平面マット
３６ａ、ボール
３６ｂ、反発高さ
３６ｃ、マット厚さ
３６ｄ、マット幅
３６ｅ、マット奥行
３６ｆ、落下高さ
３７、  試験（２）の発泡湾曲マット
３７ａ、円半径
３７ｂ、湾曲深さ
３７ｃ、湾曲形状
３７ｄ、マット厚さ
３７ｅ、ボール
３７ｆ、マット幅
３７ｇ、マット奥行
３７ｈ、落下高さ
３７ｉ、反発高さ
３８、  試験（３）の発泡正面マット
３８ａ、マット厚さ
３８ｂ、円半径
３８ｃ、湾曲深さ
３８ｄ、湾曲形状
３８ｅ、傾斜度
３８ｆ、打球
３８ｇ、打席
３８ｈ、打撃距離
３８ｉ、移動距離
３８ｊ、打球衝突部のマット幅
３８ｋ、マット高さ
３８ｌ、床面
３８ｍ、離間距離
３８ｎ、癸泡床面マット
【図１】
2014023887.tif 000004
【図２】
2014023887.tif 000005
【図３】
2014023887.tif 000006
【図４】
2014023887.tif 000007
【図５】
2014023887.tif 000008
【図６】
2014023887.tif 000009
【図７】
2014023887.tif 000010